(57)【要約】【課題】  浄化用ガスと水とが無駄なく活用され、汚染土壌の浄化を効率的かつ効果的に行うことができる汚染土壌浄化装置を提供することを目的とする。【解決手段】  地面Ｆに穿った穴内に貫入された浄化用管１３ａ，１３ｂ，１３ｃを介して、組成ガスとしてオゾンを含む浄化用ガスを地中Ｅに供給するための浄化用ガス供給装置３ａ，３ｂ，３ｃを備える。浄化用管１３ａ，１３ｂ，１３ｃを介して地中Ｅに水を供給するための水供給装置５を備える。浄化用ガス供給装置３ａ，３ｂ，３ｃにより浄化用ガスを供給するための所定の浄化用ガス供給時間と水供給装置５により水を供給するための所定の水供給時間とを交互に繰り返すように浄化用ガスと水とを供給するタイミングを制御するための制御装置７を備える。【選択図】図１
2008272575.tif 000002
【特許請求の範囲】
【請求項１】
地面に穿った穴内に貫入された浄化用管を介して、組成ガスとしてオゾンを含む浄化用ガスを地中に供給するための浄化用ガス供給装置と、
前記浄化用管を介して前記地中に水を供給するための水供給装置と、
前記浄化用ガス供給装置により前記浄化用ガスを供給するための所定の浄化用ガス供給時間と前記水供給装置により水を供給するための所定の水供給時間とを交互に繰り返すように前記浄化用ガスと水とを供給するタイミングを制御するための制御装置とを備えた汚染土壌浄化装置。
【請求項２】
請求項１に記載の汚染土壌浄化装置において、
浄化用ガス供給管を介して前記浄化用ガス供給装置により前記浄化用ガスを前記浄化用管に供給すると共に水供給管を介して前記水供給装置により水を前記浄化用管に供給し、
前記浄化用ガス供給管と前記水供給管とを、制御弁を介して前記浄化用管に接続し、
前記浄化用ガスと水とを供給するタイミングに応じて、前記浄化用ガス供給管と前記浄化用管とを連通させる側と、前記水供給管と前記浄化用管とを連通させる側とに交互に前記制御弁を前記制御装置により切り換えるようにした汚染土壌浄化装置。
【請求項３】
請求項２に記載の汚染土壌浄化装置において、
前記水供給管の中途部に接続されたアルカリ液供給管を介してアルカリ液供給装置によりアルカリ液を前記水供給管に供給し、
前記水供給時間における終期側の所定のアルカリ液供給時間に前記アルカリ液供給装置を前記制御装置により駆動させて前記アルカリ液を供給するようにした汚染土壌浄化装置。
【請求項４】
請求項３に記載の汚染土壌浄化装置において、
前記水供給管における前記アルカリ液供給管との接続部に、前記水供給管内の流路面積が絞られたアルカリ液導入用絞部を形成し、
前記アルカリ液導入用絞部を水が通過するときに発生する負圧により前記アルカリ液供給管から前記アルカリ液を吸引して前記水供給管に導入するようにした汚染土壌浄化装置。
【請求項５】
請求項２ないし請求項４のうち何れか一つに記載の汚染土壌浄化装置において、
前記地中の汚染物質と前記浄化用ガス中のオゾンとの反応を促進させるための触媒液を、前記水供給管の中途部に接続した触媒液供給管を介して触媒液供給装置により前記水供給管に供給し、
前記水供給時間における終期側の所定の触媒液供給時間に前記触媒液供給装置を前記制御装置により駆動させて前記触媒液を供給するようにした汚染土壌浄化装置。
【請求項６】
請求項５に記載の汚染土壌浄化装置において、
前記水供給管における前記触媒液供給管との接続部に、前記水供給管内の流路面積が絞られた触媒液導入用絞部を形成し、
前記触媒液導入用絞部を水が通過するときに発生する負圧により前記触媒液供給管を介して前記触媒液を吸引して前記水供給管に導入するようにした汚染土壌浄化装置。
【請求項７】
請求項１に記載の汚染土壌浄化装置において、
前記浄化用管を介して前記地中に前記アルカリ液を供給するためのアルカリ液供給装置を備え、
前記水供給時間における終期側の所定の時間または前記水供給時間が終了した後であって前記浄化用ガスを供給する前の所定の時間の少なくとも何れか一方の時間に、前記アルカリ液供給装置を前記制御装置により駆動させて前記アルカリ液を供給するようにした汚染土壌浄化装置。
【発明の詳細な説明】
【技術分野】
【０００１】
本発明は、地中に存在するトリクロロエチレンやテトラクロロエチレン等の揮発性有機化合物（ｖｏｌａｔｉｌｅ ｏｒｇａｎｉｃ ｃｏｍｐｏｕｎｄｓ  以下「ＶＯＣｓ」という。）からなる汚染物質を無害化するための汚染土壌浄化装置に関するものである。
【背景技術】
【０００２】
特許文献１に示されている従来の汚染土壌浄化装置においては、土壌の汚染部にオゾン圧入管を打込み、オゾン発生装置によりオゾンガスを圧入して、オゾンにより土中に存在するＶＯＣｓを酸化して水溶性物質に変化させる。
その後、水注入管により、土壌に注水して可溶性有機物質を溶解させ、水・ガス排出管により地上に汲み上げることによって、土壌に含まれているＶＯＣｓを除去するようにしている。
【特許文献１】特開平６−２３８２６０号公報
【発明の開示】
【発明が解決しようとする課題】
【０００３】
しかしながら、従来の汚染土壌浄化装置によるＶＯＣｓの除去方法では、前記オゾンガスと水との地中への供給は、それぞれ１回ずつ行うようにしているため、地中のＶＯＣｓとオゾンガス中のオゾンとが反応してトリクロロ酢酸，トリクロロアセトアルデヒド（クロラール），トリクロロエタノール等の化合物が生成されると、それらの化合物によってＶＯＣｓが覆われ、オゾンとの反応が阻害されるという問題があった。
また、このため、供給されたオゾンガス中のオゾンと地中のＶＯＣｓとが十分に反応しないまま水・ガス排出管により地上に汲み上げられるだけでなく、前記化合物によってＶＯＣｓが覆われた後に供給されたオゾンガスは反応のために十分活用されずに無駄になるという問題もあった。
【０００４】
本発明はこのような問題を解消するためになされたもので、浄化用ガスと水とが無駄なく活用され、汚染土壌の浄化を効率的かつ効果的に行うことができる汚染土壌浄化装置を提供することを目的とする。
【課題を解決するための手段】
【０００５】
この目的を達成するために、本発明に係る汚染土壌浄化装置は、地面に穿った穴内に貫入された浄化用管を介して、組成ガスとしてオゾンを含む浄化用ガスを地中に供給するための浄化用ガス供給装置と、前記浄化用管を介して前記地中に水を供給するための水供給装置と、前記浄化用ガス供給装置により前記浄化用ガスを供給するための所定の浄化用ガス供給時間と前記水供給装置により水を供給するための所定の水供給時間とを交互に繰り返すように前記浄化用ガスと水とを供給するタイミングを制御するための制御装置とを備えたものである。
【０００６】
請求項２に記載した発明に係る汚染土壌浄化装置は、請求項１に記載の汚染土壌浄化装置において、浄化用ガス供給管を介して前記浄化用ガス供給装置により前記浄化用ガスを前記浄化用管に供給すると共に水供給管を介して前記水供給装置により水を前記浄化用管に供給し、前記浄化用ガス供給管と前記水供給管とを、制御弁を介して前記浄化用管に接続し、前記浄化用ガスと水とを供給するタイミングに応じて、前記浄化用ガス供給管と前記浄化用管とを連通させる側と、前記水供給管と前記浄化用管とを連通させる側とに交互に前記制御弁を前記制御装置により切り換えるようにしたことを特徴とするものである。
【０００７】
請求項３に記載した発明に係る汚染土壌浄化装置は、請求項２に記載の汚染土壌浄化装置において、前記水供給管の中途部に接続されたアルカリ液供給管を介してアルカリ液供給装置によりアルカリ液を前記水供給管に供給し、前記水供給時間における終期側の所定のアルカリ液供給時間に前記アルカリ液供給装置を前記制御装置により駆動させて前記アルカリ液を供給するようにしたことを特徴とするものである。
【０００８】
請求項４に記載した発明に係る汚染土壌浄化装置は、請求項３に記載の汚染土壌浄化装置において、前記水供給管における前記アルカリ液供給管との接続部に、前記水供給管内の流路面積が絞られたアルカリ液導入用絞部を形成し、前記アルカリ液導入用絞部を水が通過するときに発生する負圧により前記アルカリ液供給管から前記アルカリ液を吸引して前記水供給管に導入するようにしたことを特徴とするものである。
【０００９】
請求項５に記載した発明に係る汚染土壌浄化装置は、請求項２ないし請求項４のうち何れか一つに記載の汚染土壌浄化装置において、前記地中の汚染物質と前記浄化用ガス中のオゾンとの反応を促進させるための触媒液を、前記水供給管の中途部に接続した触媒液供給管を介して触媒液供給装置により前記水供給管に供給し、前記水供給時間における終期側の所定の触媒液供給時間に前記触媒液供給装置を前記制御装置により駆動させて前記触媒液を供給するようにしたことを特徴とするものである。
【００１０】
請求項６に記載した発明に係る汚染土壌浄化装置は、請求項５に記載の汚染土壌浄化装置において、前記水供給管における前記触媒液供給管との接続部に、前記水供給管内の流路面積が絞られた触媒液導入用絞部を形成し、前記触媒液導入用絞部を水が通過するときに発生する負圧により前記触媒液供給管を介して前記触媒液を吸引して前記水供給管に導入するようにしたことを特徴とするものである。
【００１１】
請求項７に記載した発明に係る汚染土壌浄化装置は、請求項１に記載の汚染土壌浄化装置において、前記浄化用管を介して前記地中に前記アルカリ液を供給するためのアルカリ液供給装置を備え、前記水供給時間における終期側の所定の時間または前記水供給時間が終了した後であって前記浄化用ガスを供給する前の所定の時間の少なくとも何れか一方の時間に、前記アルカリ液供給装置を前記制御装置により駆動させて前記アルカリ液を供給するようにしたことを特徴とするものである。
【発明の効果】
【００１２】
本発明によれば、浄化用ガスを供給するための所定の浄化用ガス供給時間と水を供給するための所定の水供給時間とを交互に繰り返すように浄化用ガスと水とを供給するタイミングを制御するための制御装置を備えたので、地中の汚染物質と浄化用ガス中のオゾンとが反応して化合物が生成された後、一旦、浄化用ガスの供給が中断され、その間にその化合物が水で洗い流される。そして、表面を覆っていた化合物が水で洗い流されて露出した未反応の汚染物質と、供給が再開された浄化用ガス中のオゾンとの反応が行われる。この結果、オゾンとの反応による化合物の生成とその化合物の洗浄とが交互に繰り返し行われることで、浄化用ガスと水とを無駄なく活用することができると共に、汚染土壌の浄化を効率的かつ効果的に行うことができる。
【００１３】
請求項２記載の発明によれば、浄化用ガス供給管と水供給管とを、制御弁を介して浄化用管に接続し、浄化用ガスと水とを供給するタイミングに応じて交互に制御弁を制御装置により切り換えるようにしたので、単純な構造で、浄化用ガスと水とを交互に繰り返して浄化用管に導入するように構成することができ、汚染土壌浄化装置を安価に提供することができる。
【００１４】
請求項３記載の発明によれば、アルカリ液供給管を介してアルカリ液供給装置によりアルカリ液を供給するようにしたので、地中の汚染物質と浄化用ガス中のオゾンとが反応して生成された化合物がアルカリ液によって中和されるため、該化合物が地中で飽和状態になることが防止され、汚染物質と浄化用ガス中のオゾンとの反応を促進させることができる。
また、水供給時間における終期側の所定の時間にアルカリ液を供給するようにしたので、水供給時間が終了した後にアルカリ液が地中に残留しやすくなるため、アルカリ液と前記化合物とを十分反応させることができる。
【００１５】
請求項４記載の発明によれば、水供給管におけるアルカリ液供給管との接続部にアルカリ液導入用絞部を形成し、このアルカリ液導入用絞部を水が通過するときに発生する負圧によりアルカリ液供給管からアルカリ液を吸引して水供給管に導入するようにしたので、単純な構造でアルカリ液を水供給管に導入するように構成することができ、汚染土壌浄化装置を安価に提供することができる。
また、アルカリ液導入用絞部を水が通過するときに発生する負圧によりアルカリ液供給管からアルカリ液を吸引して水供給管に導入するようにしたので、この導入の際、アルカリ液と水とが十分に混合され、アルカリ液を水と共に地中に確実に行き渡らせることができる。
【００１６】
請求項５記載の発明によれば、触媒液供給管を介して触媒液供給装置により触媒液を供給するようにしたので、地中の汚染物質と浄化用ガス中のオゾンとの反応を触媒液の触媒作用によって促進させることができる。
また、水供給時間における終期側の所定の触媒液供給時間に触媒液供給装置を制御装置により駆動させて触媒液を供給するようにしたので、水供給時間が終了した後に触媒液が地中に残留しやすくなるため、触媒液の触媒作用によって汚染物質と浄化用ガス中のオゾンとの反応を促進させることができる。
また、アルカリ液も水供給管に導入する場合は、アルカリ液と触媒液とが同じタイミングで水と共に地中の同じ場所に行き渡るので、触媒液の触媒作用によって汚染物質と浄化用ガス中のオゾンとの反応が促進されて化合物が生成されると、該化合物の近傍にはアルカリ液が必ず存在するため該化合物を速やかに中和させることができる。この結果、該化合物が地中で飽和状態になることが防止され、汚染物質と浄化用ガス中のオゾンとの反応を一層促進させることができる。
【００１７】
請求項６記載の発明によれば、水供給管における触媒液供給管との接続部に触媒液導入用絞部を形成し、この触媒液導入用絞部を水が通過するときに発生する負圧により触媒液供給管から触媒液を吸引して水供給管に導入するようにしたので、単純な構造で、触媒液を水供給管に導入するように構成することができ、汚染土壌浄化装置を安価に提供することができる。
また、触媒液導入用絞部を水が通過するときに発生する負圧により触媒液供給管を介して触媒液を吸引して水供給管に導入するようにしたので、この導入の際、触媒液と水とが十分に混合され、触媒液を水と共に地中に確実に行き渡らせることができ、汚染土壌浄化装置を安価に提供することができる。
【００１８】
請求項７記載の発明によれば、浄化用管を介して地中にアルカリ液を供給するためのアルカリ液供給装置を備えたので、地中の汚染物質と浄化用ガス中のオゾンとが反応して生成された化合物がアルカリ液によって中和されるため、該化合物が地中で飽和状態になることが防止され、汚染物質と浄化用ガス中のオゾンとの反応を促進させることができる。
また、水供給時間における終期側の所定の時間または水供給時間が終了した後であって浄化用ガスを供給する前の所定の時間の少なくとも何れか一方の時間に、アルカリ液供給装置を制御装置により駆動させてアルカリ液を供給するようにしたので、水供給時間が終了した後にアルカリ液が地中に残留しやすくなるため、アルカリ液と前記化合物とを十分反応させることができる。この結果、前記化合物が地中で飽和状態になることが防止され、汚染物質と浄化用ガス中のオゾンとの反応を促進させることができる。
【発明を実施するための最良の形態】
【００１９】
以下、本発明に係る汚染土壌浄化装置の実施の形態を図１ないし図６によって詳細に説明する。
図１は本発明に係る汚染土壌浄化装置の構成を示すブロック図であり、図２は吸引装置の構成を示す断面図であり、図３は第２の吸引装置の構成を示す断面図である。また、図４は本発明に係る汚染土壌浄化装置を作動させる際のタイムチャートであり、図５は本発明に係る汚染土壌浄化装置を作動させる際の別のタイムチャートであり、図６は本発明に係る汚染土壌浄化装置を作動させる際のさらに別のタイムチャートである。なお、図１については、作図の都合上、それぞれの構成部材の縮尺の比率は互いに異ならせて図示している。
【００２０】
図１において、符号１で示すものは、この実施の形態による汚染土壌浄化装置を示しており、この汚染土壌浄化装置１は、組成ガスとしてオゾンを含む浄化用ガスを地中Ｅに供給するための浄化用ガス供給装置３ａ，３ｂ，３ｃと、地中Ｅに水を供給するための電動ポンプからなる水供給装置５と、浄化用ガスと水とを供給するタイミング等を制御するための制御装置７と、地中Ｅにアルカリ液を供給するための電動ポンプからなるアルカリ液供給装置９ａ，９ｂ，９ｃと、地中ＥのＶＯＣｓと浄化用ガス中のオゾンとの反応を促進させるための触媒液を地中Ｅに供給するための電動ポンプからなる触媒液供給装置１１ａ，１１ｂ，１１ｃとを備えている。前記浄化用ガス，水，アルカリ液および触媒液は、地面Ｆに穿った穴内に貫入された浄化用管１３ａ，１３ｂ，１３ｃを介して地中Ｅに供給される。
【００２１】
前記浄化用ガスは、それぞれの一端部が電磁式の制御弁１５ａ，１５ｂ，１５ｃを介して前記浄化用管１３ａ，１３ｂ，１３ｃにそれぞれ接続された浄化用ガス供給管１６，１７，１８により供給される。浄化用ガス供給管１６，１７，１８は、それぞれ上流側供給管１６ａ，１７ａ，１８ａと下流側供給管１６ｂ，１７ｂ，１８ｂとからなる。上流側供給管１６ａ，１７ａ，１８ａのそれぞれの一端部は前記浄化用ガス供給装置３ａ，３ｂ，３ｃにそれぞれ接続され、上流側供給管１６ａ，１７ａ，１８ａのそれぞれの他端部は、電動式の圧縮機２１で圧縮された空気が空気供給管２３ａ，２３ｂ，２３ｃを介してそれぞれ供給される吸引装置１９ａ，１９ｂ，１９ｃにそれぞれ接続されている。なお、前記圧縮機２１は、浄化用管１３ａ，１３ｂ，１３ｃに浄化用ガスを供給する際の圧力を上げるためのものであり、浄化用ガス供給装置３ａ，３ｂ，３ｃから送出される浄化用ガスの圧力を高く設定できる場合は、上流側供給管１６ａ，１７ａ，１８ａと下流側供給管１６ｂ，１７ｂ，１８ｂとをそれぞれ直接接続して圧縮機２１，空気供給管２３ａ，２３ｂ，２３ｃおよび吸引装置１９ａ，１９ｂ，１９ｃを省略してもよい。
【００２２】
一方、前記下流側供給管１６ｂ，１７ｂ，１８ｂのそれぞれの一端部は前記吸引装置１９ａ，１９ｂ，１９ｃにそれぞれ接続され、下流側供給管１６ｂ，１７ｂ，１８ｂのそれぞれの他端部は制御弁１５ａ，１５ｂ，１５ｃにそれぞれ接続されている。また、空気供給管２３ａ，２３ｂ，２３ｃは第２の制御弁２４を介して圧縮機２１に接続されており、この第２の制御弁２４が切り換えられることによって空気供給管２３ａ，２３ｂ，２３ｃの何れか１つだけに択一的に圧縮機２１から空気が供給される。
【００２３】
前記浄化用ガス供給装置３ａ，３ｂ，３ｃには、酸素ガスが収容された酸素ボンベ２５が酸素ガス供給管２７を介して接続され、酸素ボンベ２５の酸素ガスが浄化用ガス供給装置３ａ，３ｂ，３ｃにそれぞれ導入され、浄化用ガス供給装置３ａ，３ｂ，３ｃ内で放電管による無声放電によってオゾンが発生し、酸素に対してオゾンが所定の割合で混合されて浄化用ガスが生成される。浄化用ガスとしては、例えば、容積比でオゾンが３パーセントないし５パーセントで残りが酸素からなるガスをあげることができる。各浄化用ガス供給装置３ａ，３ｂ，３ｃからは、通常、毎分１リットルないし５０リットルの容量（大気圧下での容量）の浄化用ガスがそれぞれ供給される。
なお、浄化用ガスとしては、前記のものに代えて、容積比でオゾンが０．１パーセントないし１パーセントで残りが空気からなるガスを使用してもよい。
【００２４】
また、前記制御弁１５ａ，１５ｂ，１５ｃには、水供給管２８，２９，３０のそれぞれの一端部が接続され、水供給管２８，２９，３０のそれぞれの他端部は、電磁式の第３の制御弁３１に接続されている。前記制御弁１５ａが切り換えられることによって浄化用ガス供給管１６または水供給管２８の何れか一方が択一的に前記浄化用管１３ａと連通させられ、制御弁１５ｂが切り換えられることによって浄化用ガス供給管１７または水供給管２９の何れか一方が択一的に前記浄化用管１３ｂと連通させられ、制御弁１５ｃが切り換えられることによって浄化用ガス供給管１８または水供給管３０の何れか一方が択一的に前記浄化用管１３ｃと連通させられる。
【００２５】
前記第３の制御弁３１は、前記水供給装置５に接続され、第３の制御弁３１が切り換えられることによって水供給管２８，２９，３０の何れか１つだけに択一的に、水槽３３に貯留された水が水供給装置５によって供給される。これによって、各制御弁１５ａ，１５ｂ，１５ｃを介して、通常、毎分５リットルないし３０リットルの容量の水が浄化用管１３ａ，１３ｂ，１３ｃにそれぞれ供給される。前記水供給管２８，２９，３０は、それぞれ上流側供給管２８ａ，２９ａ，３０ａと下流側供給管２８ｂ，２９ｂ，３０ｂとからなり、これらの上流側供給管２８ａ，２９ａ，３０ａと下流側供給管２８ｂ，２９ｂ，３０ｂとは第２の吸引装置３５ａ，３５ｂ，３５ｃを介してそれぞれ接続されている。第２の吸引装置３５ａ，３５ｂ，３５ｃには、アルカリ液槽３７に貯留されたアルカリ液を供給するためのアルカリ液供給管３９の分岐管部３９ａ，３９ｂ，３９ｃと、触媒液槽４１に貯留された触媒液を供給するための触媒液供給管４３の分岐管部４３ａ，４３ｂ，４３ｃとがそれぞれ接続されている。
【００２６】
前記アルカリ液としては、例えば、重量比で水酸化ナトリウムまたは水酸化カリウムが３０パーセントないし５０パーセントで残りが水である水溶液からなるアルカリ液をあげることができ、前記触媒液としては、例えば、重量比で硫酸第二鉄または二酸化マンガンが３５パーセントないし４０パーセントで残りが水である水溶液からなる触媒液をあげることができる。前記分岐管部３９ａ，３９ｂ，３９ｃのそれぞれの中途部には前記アルカリ液供給装置９ａ，９ｂ，９ｃがそれぞれ配設され、前記分岐管部４３ａ，４３ｂ，４３ｃのそれぞれの中途部には前記触媒液供給装置１１ａ，１１ｂ，１１ｃがそれぞれ配設されている。各アルカリ液供給装置９ａ，９ｂ，９ｃからは、通常、毎分０．５リットルないし３リットルの容量のアルカリ液がそれぞれ供給され、各触媒液供給装置１１ａ，１１ｂ，１１ｃからは、通常、毎分０．０５リットルないし０．３リットルの容量の触媒液がそれぞれ供給される。
なお、前記浄化用ガス供給装置３ａ，３ｂ，３ｃ，水供給装置５，アルカリ液供給装置９ａ，９ｂ，９ｃ，触媒液供給装置１１ａ，１１ｂ，１１ｃ，制御弁１５ａ，１５ｂ，１５ｃ，圧縮機２１，第２の制御弁２４および第３の制御弁３１は、電線（図示せず）を介して制御装置７に接続されており制御装置７によりそれぞれ駆動制御される。
【００２７】
図２に示すように、前記吸引装置１９ａは、内部に吸引室４５ａが形成された吸引部本体４５と、この吸引部本体４５の両端から差し込まれて吸引部本体４５に固着され先端同士が吸引室４５ａで一定の隙間を隔てて対向するように配置された吐出側ノズル４７および吸引側ノズル４９とからなる。これらの吐出側ノズル４７および吸引側ノズル４９は、対向する先端部が共に先細りに形成され、吐出側ノズル４７の先端の孔径の方が吸引側ノズル４９の先端の孔径より小さく形成されている。前記浄化用ガス供給管１６の下流側供給管１６ｂの端部は接続具５０を介して前記吸引側ノズル４９に接続され、浄化用ガス供給管１６の上流側供給管１６ａの端部は吸引部本体４５に接続され、空気供給管２３ａの端部は接続具５１を介して前記吐出側ノズル４７に接続されている。而して、浄化用ガス供給装置３ａから供給され浄化用ガス供給管１６の上流側供給管１６ａを通過して吸引室４５ａに流入した浄化用ガスが、圧縮機２１で圧縮された空気が吐出側ノズル４７から吐出され吸引側ノズル４９内に流入するときに発生する負圧により吸引側ノズル４９内に吸引され下流側供給管１６ｂ内を通過して制御弁１５ａに送出される。
なお、前記吸引装置１９ｂ，１９ｃは吸引装置１９ａと同一の構造を有しているので、吸引装置１９ｂ，１９ｃおよびこれらと前記上流側供給管１７ａ，１８ａ，前記下流側供給管１７ｂ，１８ｂ，前記空気供給管２３ｂ，２３ｃとのそれぞれの接続構造についての詳細な説明は省略する。
【００２８】
また、図３に示すように、前記第２の吸引装置３５ａは、前記アルカリ液供給管３９の分岐管部３９ａが接続されるアルカリ液吸引部５３と、触媒液供給管４３の分岐管部４３ａが接続される触媒液吸引部５５とを備えている。アルカリ液吸引部５３は、内部に吸引室５７ａが形成された吸引部本体５７と、この吸引部本体５７の一端側に嵌合された吐出側ノズル５９と、この吐出側ノズル５９が吸引部本体５７に嵌合された状態で吸引部本体５７の一端側に螺合された固定具６１と、吸引部本体５７の他端側に螺合された吸引側ノズル６３とからなる。吐出側ノズル５９は、その端部（図３において右側）に形成されたフランジ部が吸引部本体５７の端部（図３において右側）と固定具６１の段部とで挟持されて固定されている。吐出側ノズル５９と吸引側ノズル６３とは、先端同士が吸引室５７ａで一定の隙間を隔てて対向するように位置付けられ、かつ、対向する先端部が共に先細りに形成されており、これらの先端部が本発明でいうアルカリ液導入用絞部を構成する。吐出側ノズル５９の先端の孔径の方が吸引側ノズル６３の先端の孔径より小さく形成されている。吸引側ノズル６３と前記下流側供給管２８ｂとは接続具６５を介して接続され、前記分岐管部３９ａの端部は吸引部本体５７に結着されている。
【００２９】
一方、前記触媒液吸引部５５は、内部に吸引室６７ａが形成された吸引部本体６７と、この吸引部本体６７の一端側に嵌合された吐出側ノズル６９と、この吐出側ノズル６９が吸引部本体６７に嵌合された状態で吸引部本体６７の一端側に螺合された固定具７１と、吸引部本体６７の他端側に螺合された吸引側ノズル７３とからなる。吐出側ノズル６９は、その端部（図３において右側）に形成されたフランジ部が吸引部本体６７の端部（図３において右側）と固定具７１の段部とで挟持されて固定されている。吐出側ノズル６９と吸引側ノズル７３とは、先端同士が吸引室６７ａで一定の隙間を隔てて対向するように位置付けられ、かつ、対向する先端部が共に先細りに形成されており、これらの先端部が本発明でいう触媒液導入用絞部を構成する。吐出側ノズル６９の先端の孔径の方が吸引側ノズル７３の先端の孔径より小さく形成されている。前記上流側供給管２８ａの端部は固定具７１に螺合接続され、吸引側ノズル７３は前記固定具６１に螺合接続され、前記分岐管部４３ａの端部は吸引部本体６７に結着されている。
【００３０】
而して、前記触媒液供給装置１１ａによって供給され分岐管部４３ａを通過して前記触媒液吸引部５５の吸引室６７ａに流入した触媒液が、水供給装置５によって供給された水が触媒液吸引部５５の吐出側ノズル６９から吐出され吸引側ノズル７３内に流入するときに発生する負圧により吸引側ノズル７３内に吸引され、吸引側ノズル７３から前記アルカリ液吸引部５３に送出される。
そしてさらに、前記アルカリ液供給装置９ａによって供給され分岐管部３９ａを通過して吸引室５７ａに流入したアルカリ液が、前記吸引側ノズル７３から吐出側ノズル５９に流入した触媒液と水との混合液が吐出側ノズル５９から吐出され吸引側ノズル６３内に流入するときに発生する負圧により吸引側ノズル６３内に吸引され、吸引側ノズル６３から下流側供給管２８ｂ内を通過して制御弁１５ａに送出される。
【００３１】
なお、前記第２の吸引装置３５ｂ，３５ｃは第２の吸引装置３５ａと同一の構造を有しているので、第２の吸引装置３５ｂ，３５ｃおよびこれらと前記アルカリ液供給管３９の分岐管部３９ｂ，３９ｃ、前記触媒液供給管４３の分岐管部４３ｂ，４３ｃ、前記上流側供給管２９ａ，３０ａ，前記下流側供給管２９ｂ，３０ｂとのそれぞれの接続構造についての詳細な説明は省略する。
【００３２】
上述した浄化用管１３ａ，１３ｂ，１３ｃ，制御弁１５ａ，１５ｂ，１５ｃ，浄化用ガス供給管１６，１７，１８および吸引装置１９ａ，１９ｂ，１９ｃ等については、少なくとも浄化用ガスと接触する部材は、浄化用ガス中のオゾンによって腐食しないように合成樹脂材またはステンレス鋼材等の耐蝕性を有する部材によって構成されている。
【００３３】
上述した汚染土壌浄化装置１を使用して汚染土壌の浄化を行う場合は、まず、制御装置７に設けられた制御盤の電源スイッチ（図示せず）を作業者が操作して汚染土壌浄化装置１を起動させ、制御盤に設けられたタイマを設定して汚染土壌浄化装置１を作動させる時間を設定する。すると、制御装置７に設けられたメモリに予め記憶されたタイムチャート（図４を参照）に従って汚染土壌浄化装置１が作動を開始する。その工程は、図４に基づいて説明すると以下のようになる。なお、図４において、横軸は時間の経過を示しており、ａ１，ａ２，ａ３は浄化用ガスが供給されるタイミングを示しており、ｂ１，ｂ２，ｂ３は水が供給されるタイミングを示しており、ｃ１，ｃ２，ｃ３はアルカリ液が供給されるタイミングを示しており、ｄ１，ｄ２，ｄ３は触媒液が供給されるタイミングを示している。また、図４において、ａ１，ｂ１，ｃ１，ｄ１は、浄化用管１３ａに関する供給タイミングを示しており、ａ２，ｂ２，ｃ２，ｄ３は、浄化用管１３ｂに関する供給タイミングを示しており、ａ３，ｂ３，ｃ３，ｄ３は、浄化用管１３ｃに関する供給タイミングを示している。
【００３４】
（１）浄化用管１３ａへの供給工程
本発明でいう浄化用ガス供給時間に当たる時間Ｔ１１の間だけ、圧縮機２１により圧縮された空気が第２の制御弁２４により空気供給管２３ａだけに供給されて吸引装置１９ａに供給される。そして、浄化用ガス供給装置３ａが前記時間Ｔ１１の間だけ駆動され該浄化用ガス供給装置３ａから供給された浄化用ガスは、吸引装置１９ａに供給された空気により発生した負圧により吸引装置１９ａ内に吸引され下流側供給管１６ｂ内を通過して制御弁１５ａに送出される（図４中のａ１を参照）。これによって、浄化用ガスが浄化用管１３ａを介して前記時間Ｔ１１の間だけ地中Ｅに供給される。前記時間Ｔ１１が終了すると同時に、本発明でいう水供給時間に当たる時間Ｔ１２の間だけ水供給装置５が駆動され該水供給装置５により供給された水が第３の制御弁３１により上流側供給管２８ａだけに供給され第２の吸引装置３５ａに供給される。また、前記時間Ｔ１１が終了すると同時に下流側供給管２８ｂと浄化用管１３ａとが連通するように制御弁１５ａが切り換えられ、第２の吸引装置３５ａに供給された水は下流側供給管２８ｂ，制御弁１５ａおよび浄化用管１３ａを介して前記時間Ｔ１２の間だけ地中Ｅに供給される（図４中のｂ１を参照）。
【００３５】
前記時間Ｔ１２における終期側の、本発明でいうアルカリ液供給時間に当たる時間Ｔ１３の間だけ前記アルカリ液供給装置９ａが駆動され該アルカリ液供給装置９ａにより第２の吸引装置３５ａにアルカリ液が供給される（図４中のｃ１を参照）。また、前記時間Ｔ１２における終期側の、本発明でいう触媒液供給時間に当たる時間Ｔ１４の間だけ前記触媒液供給装置１１ａが駆動され該触媒液供給装置１１ａにより第２の吸引装置３５ａに触媒液が供給される（図４中のｄ１を参照）。
なお、図４中のｃ１およびｄ１を見ると分かるように、アルカリ液供給装置９ａによりアルカリ液の供給を開始するタイミングと触媒液供給装置１１ａにより触媒液の供給を開始するタイミングとは同時になるように設定され、時間Ｔ１３と時間Ｔ１４とは同一になるように設定されている。そして、時間Ｔ１２と時間Ｔ１３と時間Ｔ１４とは同時に終了するように設定され、その終了と同時にアルカリ液供給装置９ａおよび触媒液供給装置１１ａの駆動が停止される。
【００３６】
（２）浄化用管１３ｂへの供給工程
前記時間Ｔ１１が終了すると同時に第２の制御弁２４が切り換えられて、本発明でいう浄化用ガス供給時間に当たる時間Ｔ２１の間だけ、圧縮機２１で圧縮された空気が空気供給管２３ｂだけに供給され吸引装置１９ｂに供給される。そして、本発明でいう浄化用ガス供給時間に当たる時間Ｔ２１の間だけ浄化用ガス供給装置３ｂが駆動され、該浄化用ガス供給装置３ｂから供給された浄化用ガスは、吸引装置１９ｂに供給された空気により発生した負圧により吸引装置１９ｂ内に吸引され下流側供給管１７ｂ内を通過して制御弁１５ｂに送出される（図４中のａ２を参照）。これによって、浄化用ガスが浄化用管１３ｂを介して前記時間Ｔ２１の間だけ地中Ｅに供給される。前記時間Ｔ２１が終了すると同時に第３の制御弁３１が切り換えられると共に、本発明でいう水供給時間に当たる時間Ｔ２２の間だけ水供給装置５が駆動され、該水供給装置５により供給された水が上流側供給管２９ａだけに供給され第２の吸引装置３５ｂに供給される。また、前記時間Ｔ２１が終了すると同時に下流側供給管２９ｂと浄化用管１３ｂとが連通するように制御弁１５ｂが切り換えられ、第２の吸引装置３５ｂに供給された水は下流側供給管２９ｂ，制御弁１５ｂおよび浄化用管１３ｂを介して前記時間Ｔ２２の間だけ地中Ｅに供給される（図４中のｂ２を参照）。
【００３７】
前記時間Ｔ２２における終期側の、本発明でいうアルカリ液供給時間に当たる時間Ｔ２３の間だけ前記アルカリ液供給装置９ｂが駆動され該アルカリ液供給装置９ｂにより第２の吸引装置３５ｂにアルカリ液が供給される（図４中のｃ２を参照）。また、前記時間Ｔ２２における終期側の、本発明でいう触媒液供給時間に当たる時間Ｔ２４の間だけ前記触媒液供給装置１１ｂが駆動され該触媒液供給装置１１ｂにより第２の吸引装置３５ｂに触媒液が供給される（図４中のｄ２を参照）。
なお、同図中のｃ２およびｄ２を見ると分かるように、アルカリ液供給装置９ｂによりアルカリ液の供給を開始するタイミングと触媒液供給装置１１ｂにより触媒液の供給を開始するタイミングとは同時になるように設定され、時間Ｔ２３と時間Ｔ２４とは同一になるように設定されている。そして、時間Ｔ２２と時間Ｔ２３と時間Ｔ２４とは同時に終了するように設定され、その終了と同時にアルカリ液供給装置９ｂおよび触媒液供給装置１１ｂの駆動が停止される。
【００３８】
（３）浄化用管１３ｃへの供給工程
前記時間Ｔ２１が終了すると同時に第２の制御弁２４が切り換えられて、本発明でいう浄化用ガス供給時間に当たる時間Ｔ３１の間だけ、圧縮機２１で圧縮された空気が空気供給管２３ｃだけに供給され吸引装置１９ｃに供給される。そして、浄化用ガス供給装置３ｃが前記時間Ｔ３１の間だけ駆動され、該浄化用ガス供給装置３ｃから供給された浄化用ガスは、吸引装置１９ｃに供給された空気により発生した負圧により吸引装置１９ｃ内に吸引され下流側供給管１８ｂ内を通過して制御弁１５ｃに送出される（図４中のａ３を参照）。これによって、浄化用管１３ｃを介して浄化用ガスが前記時間Ｔ３１の間だけ地中Ｅに供給される。
前記時間Ｔ３１が終了すると同時に第３の制御弁３１が切り換えられると共に、本発明でいう水供給時間に当たる時間Ｔ３２の間だけ水供給装置５が駆動され、該水供給装置５により供給された水が上流側供給管３０ａだけに供給され第２の吸引装置３５ｃに供給される。また、前記時間Ｔ３１が終了すると同時に下流側供給管３０ｂと浄化用管１３ｃとが連通するように制御弁１５ｃが切り換えられて第２の吸引装置３５ｃに供給された水は下流側供給管３０ｂ，制御弁１５ｃおよび浄化用管１３ｃを介して前記時間Ｔ３２の間だけ地中Ｅに供給される（図４中のｂ３を参照）。
【００３９】
前記時間Ｔ３２における終期側の、本発明でいうアルカリ液供給時間に当たる時間Ｔ３３の間だけ前記アルカリ液供給装置９ｃが駆動され該アルカリ液供給装置９ｃにより第２の吸引装置３５ｃにアルカリ液が供給される（図４中のｃ３を参照）。また、前記時間Ｔ３２における終期側の、本発明でいう触媒液供給時間に当たる時間Ｔ３４の間だけ前記触媒液供給装置１１ｃが駆動され該触媒液供給装置１１ｃにより第２の吸引装置３５ｃに触媒液が供給される（図４中のｄ３を参照）。
【００４０】
なお、図４中のｃ３およびｄ３を見ると分かるように、アルカリ液供給装置９ｃによりアルカリ液の供給を開始するタイミングと触媒液供給装置１１ｃにより触媒液の供給を開始するタイミングとは同時になるように設定され、時間Ｔ３３と時間Ｔ３４とは同一になるように設定されている。そして、時間Ｔ３２と時間Ｔ３３と時間Ｔ３４とは同時に終了するように設定され、その終了と同時にアルカリ液供給装置９ｃおよび触媒液供給装置１１ｃの駆動が停止される。
【００４１】
前記時間Ｔ３１が終了すると同時に第２の制御弁２４が切り換えられて圧縮機２１で圧縮された空気が再び空気供給管２３ａだけに供給され、上述した（１）ないし（３）の供給工程が順々に繰り返されて浄化用管１３ａ，１３ｂ，１３ｃを介して浄化用ガス等が地中Ｅに順々に供給される。そして、制御装置７の制御盤のタイマによって設定していた時間に到達したとき、汚染土壌浄化装置１の作動が停止する。
このようにして、各浄化用管１３ａ，１３ｂ，１３ｃごとに、浄化用ガスと水とが交互に供給されると共に、水を供給する時間Ｔ１２，Ｔ２２，Ｔ３２のそれぞれの終期にアルカリ液および触媒液が供給される。なお、水が供給される時間Ｔ１２，Ｔ２２，Ｔ３２とアルカリ液が供給される時間Ｔ１３，Ｔ２３，Ｔ３３と触媒液が供給される時間Ｔ１４，Ｔ２４，Ｔ３４とは、浄化用ガスが供給される時間Ｔ１１，Ｔ２１，Ｔ３１の長さに応じてそれぞれ最適な時間になるように制御装置７によって自動的に設定される。
【００４２】
上述したように構成された汚染土壌浄化装置１によれば、浄化用ガスを供給する時間Ｔ１１，Ｔ２１，Ｔ３１と水を供給する時間Ｔ１２，Ｔ２２，Ｔ３２とをそれぞれ交互に繰り返すように浄化用ガスと水とを供給するタイミングを制御するための制御装置７を備えているので、地中ＥのＶＯＣｓと浄化用ガス中のオゾンとが反応して化合物が生成された後、一旦、浄化用ガスの供給が中断され、その間にその化合物が水で洗い流される。そして、表面を覆っていた化合物が水で洗い流されて露出した未反応のＶＯＣｓと、供給が再開された浄化用ガス中のオゾンとの反応が行われる。この結果、オゾンとの反応による化合物の生成とその化合物の洗浄とが交互に繰り返し行われることで、浄化用ガスと水とを無駄なく活用することができると共に、汚染土壌の浄化を効率的かつ効果的に行うことができる。
【００４３】
また、この実施の形態による汚染土壌浄化装置１によれば、浄化用ガス供給管１６，１７，１８と水供給管２８，２９，３０とを、それぞれ制御弁１５ａ，１５ｂ，１５ｃを介して浄化用管１３ａ，１３ｂ，１３ｃにそれぞれ接続し、浄化用ガスと水とを供給するタイミングに応じて交互に制御弁１５ａ，１５ｂ，１５ｃを制御装置７によりそれぞれ切り換えるようにしたので、単純な構造で、浄化用ガスと水とを交互に繰り返して浄化用管１３ａ，１３ｂ，１３ｃにそれぞれ導入するように構成することができ、汚染土壌浄化装置１を安価に提供することができる。
【００４４】
また、この実施の形態による汚染土壌浄化装置１によれば、アルカリ液供給管３９を介してアルカリ液供給装置９ａ，９ｂ，９ｃによりアルカリ液を供給するようにしたので、地中ＥのＶＯＣｓと浄化用ガス中のオゾンとが反応して生成された化合物がアルカリ液によって中和されるため、該化合物が地中Ｅで飽和状態になることが防止され、ＶＯＣｓと浄化用ガス中のオゾンとの反応を促進させることができる。
また、水を供給する時間Ｔ１２，Ｔ２２，Ｔ３２における終期側の時間Ｔ１３，Ｔ２３，Ｔ３３にアルカリ液を供給するようにしたので、時間Ｔ１２，Ｔ２２，Ｔ３２が終了した後にアルカリ液が地中に残留しやすくなるため、アルカリ液と前記化合物とを十分反応させることができる。
【００４５】
また、この実施の形態による汚染土壌浄化装置１によれば、水供給管２８，２９，３０におけるアルカリ液供給管３９との接続部にアルカリ液導入用絞部をそれぞれ形成し、このアルカリ液導入用絞部を水が通過するときに発生する負圧によりアルカリ液供給管３９からアルカリ液を吸引して水供給管２８，２９，３０に導入するようにしたので、単純な構造でアルカリ液を水供給管２８，２９，３０にそれぞれ導入するように構成することができ、汚染土壌浄化装置１を安価に提供することができる。
また、アルカリ液導入用絞部を水が通過するときに発生する負圧によりアルカリ液供給管３９からアルカリ液を吸引して水供給管２８，２９，３０に導入するようにしたので、この導入の際、アルカリ液と水とが十分に混合され、アルカリ液を水と共に地中に確実に行き渡らせることができる。
【００４６】
また、この実施の形態による汚染土壌浄化装置１によれば、触媒液供給管４３を介して触媒液供給装置１１ａ，１１ｂ，１１ｃにより触媒液を供給したので、地中ＥのＶＯＣｓと浄化用ガス中のオゾンとの反応を触媒液の触媒作用によって促進させることができる。
また、水を供給する時間Ｔ１２，Ｔ２２，Ｔ３２における終期側の、触媒液を供給する時間Ｔ１４，Ｔ２４，Ｔ３４に触媒液供給装置１１ａ，１１ｂ，１１ｃを制御装置７によりそれぞれ駆動させて触媒液を供給するようにしたので、時間Ｔ１２，Ｔ２２，Ｔ３２が終了した後に触媒液が地中に残留しやすくなるため、触媒液の触媒作用によってＶＯＣｓと浄化用ガス中のオゾンとの反応を促進させることができる。
また、アルカリ液も水供給管２８，２９，３０に同時に導入されるので、アルカリ液と触媒液とが同じタイミングで水と共に地中Ｅの同じ場所に行き渡るため、触媒液の触媒作用によってＶＯＣｓと浄化用ガス中のオゾンとの反応が促進されて化合物が生成されると、該化合物の近傍にはアルカリ液が必ず存在するため該化合物を速やかに中和させることができる。この結果、該化合物が地中Ｅで飽和状態になることが防止され、汚染物質と浄化用ガス中のオゾンとの反応を一層促進させることができる。
【００４７】
また、この実施の形態による汚染土壌浄化装置１によれば、水供給管２８，２９，３０における触媒液供給管４３との接続部に触媒液導入用絞部をそれぞれ形成し、この触媒液導入用絞部を水が通過するときに発生する負圧により触媒液供給管４３から触媒液を吸引して水供給管２８，２９，３０にそれぞれ導入するようにしたので、単純な構造で触媒液を水供給管２８，２９，３０に導入するように構成することができ、汚染土壌浄化装置１を安価に提供することができる。
また、触媒液導入用絞部を水が通過するときに発生する負圧により触媒液供給管４３を介して触媒液を吸引して水供給管２８，２９，３０に導入するようにしたので、この導入の際、触媒液と水とが十分に混合され、触媒液を水と共に地中に確実に行き渡らせることができる。
【００４８】
さらにまた、この実施の形態による汚染土壌浄化装置１によれば、浄化用ガスを供給する時間Ｔ１１，Ｔ２１，Ｔ３１と水を供給する時間Ｔ１２，Ｔ２２，Ｔ３２とをそれぞれ交互に繰り返すようにして浄化用ガスと水とをそれぞれ交互に浄化用管１３ａ，１３ｂ，１３ｃにそれぞれ導入するようにしたので、浄化用ガスを供給するための浄化用管と水を供給するための浄化用管とをそれぞれ共通にして１本ずつにすることができ、使用する浄化用管の本数を少なくすることができる。
【００４９】
なお、上述した実施の形態においては、３本の浄化用管１３ａ，１３ｂ，１３ｃを介して浄化用ガス等を地中Ｅに供給する例を示したが、本発明は、このような構成に囚われることなく、４本以上の浄化用管を地面Ｆに穿った穴内に貫入して、これらの浄化用管を介して浄化用ガス等を地中Ｅに供給するようにしてもよい。
【００５０】
また、この実施の形態においては、浄化用管１３ａ，１３ｂ，１３ｃを介して浄化用ガス等を地中Ｅに供給する場合の例を示したが、本発明は、このような構成に囚われることなく、浄化用管１３ａ，１３ｂ，１３ｃを互いに離間して汚染された地中Ｅに配置する一方、浄化用管１３ａ，１３ｂ，１３ｃをそれぞれ囲むように地面Ｆに穿った複数の穴内に回収用管をそれぞれ貫入すると共にそれらの回収用管に吸引ポンプを接続し、浄化用管１３ａ，１３ｂ，１３ｃを介して地中Ｅに供給された浄化用ガス等を前記回収用管を介して前記吸引ポンプにより回収するようにしてもよい。そして、制御装置７の制御盤を操作して浄化用ガスが供給される時間Ｔ１１，Ｔ２１，Ｔ３１の長さをそれぞれ個別に変更することができるようにしておき、前記吸引ポンプで回収された水溶液に含まれるＶＯＣｓの濃度を検査器で計測して汚染の浄化の状況を確認しながら、その浄化の状況に応じて前記時間Ｔ１１，Ｔ２１，Ｔ３１の長さを個別に適宜増減するようにすれば、水が供給される時間Ｔ１２，Ｔ２２，Ｔ３２とアルカリ液が供給される時間Ｔ１３，Ｔ２３，Ｔ３３と触媒液が供給される時間Ｔ１４，Ｔ２４，Ｔ３４とが前記時間Ｔ１１，Ｔ２１，Ｔ３１に応じて適切に変更されることとも相俟って効果的に汚染土壌の浄化を行うことができる。
【００５１】
また、この実施の形態においては、図４に示したように、アルカリ液供給装置９ａ，９ｂ，９ｃによりアルカリ液の供給を開始するそれぞれのタイミングと触媒液供給装置１１ａ，１１ｂ，１１ｃにより触媒液の供給を開始するそれぞれのタイミングとが、それぞれ同時になるように設定された例を示したが、本発明は、このような構成に囚われることなく、前記両タイミングのうち何れか一方を先にして両タイミングをずらすようにしてもよい。
【００５２】
また、この実施の形態においては、時間Ｔ１２と時間Ｔ１３と時間Ｔ１４，時間Ｔ２２と時間Ｔ２３と時間Ｔ２４，時間Ｔ３２と時間Ｔ３３と時間Ｔ３４とが、それぞれ同時に終了するように設定され、その終了と同時にアルカリ液供給装置９ａ，９ｂ，９ｃおよび触媒液供給装置１１ａ，１１ｂ，１１ｃの駆動がそれぞれ停止される例を示したが、本発明は、このような構成に囚われることなく、時間Ｔ１２が終了する少し前に時間Ｔ１３もしくは時間Ｔ１４の少なくとも何れか一方が終了するようにし、または、時間Ｔ２２が終了する少し前に時間Ｔ２３もしくは時間Ｔ２４の少なくとも何れか一方が終了するようにし、または、時間Ｔ３２が終了する少し前に時間Ｔ３３もしくは時間Ｔ３４の少なくとも何れか一方が終了するようにして、それらの終了時間に合わせてアルカリ液供給装置９ａ，９ｂ，９ｃおよび触媒液供給装置１１ａ，１１ｂ，１１ｃの駆動がそれぞれ停止されるようにしてもよい。
【００５３】
さらにまた、この実施の形態においては、水を供給する時間Ｔ１２，Ｔ２２，Ｔ３２における終期側の時間Ｔ１３，Ｔ２３，Ｔ３３にアルカリ液供給装置９ａ，９ｂ，９ｃによりアルカリ液を供給するようにしたが、本発明は、このような構成に囚われることなく、アルカリ液供給装置９ａ，９ｂ，９ｃからアルカリ液を直接、浄化用管１３ａ，１３ｂ，１３ｃに供給するように構成すると共に、図５に示すように、水を供給する時間Ｔ１２，Ｔ２２，Ｔ３２が終了した後であって浄化用ガスを供給する前の時間Ｔ１３，Ｔ２３，Ｔ３３にアルカリ液を供給するか、または、図６に示すように、水を供給する時間Ｔ１２，Ｔ２２，Ｔ３２における終期側から、時間Ｔ１２，Ｔ２２，Ｔ３２が終了した後であって浄化用ガスを供給する前までの間における時間Ｔ１３，Ｔ２３，Ｔ３３にアルカリ液を供給するようにしてもよい。なお、これらの場合は、アルカリ液供給装置９ａ，９ｂ，９ｃによりアルカリ液を供給している間、供給している浄化用管１３ａ，１３ｂ，１３ｃに対応する制御弁１５ａ，１５ｂ，１５ｃの弁体部をアルカリ液が浄化用ガス供給管１６，１７，１８の方に逆流しないように閉弁するようにする。このように構成しても、前記時間Ｔ１２，Ｔ２２，Ｔ３２が終了した後にアルカリ液が地中Ｅに残留しやすくなるため、アルカリ液と前記化合物とを十分反応させることができ、この結果、地中ＥのＶＯＣｓと浄化用ガス中のオゾンとが反応して生成された化合物がアルカリ液によって中和されるため、該化合物が地中Ｅで飽和状態になることが防止され、ＶＯＣｓと浄化用ガス中のオゾンとの反応を促進させることができる。
【図面の簡単な説明】
【００５４】
【図１】図１は本発明の実施の形態に係る汚染土壌浄化装置の構成を示すブロック図である。
【図２】図２は吸引装置の構成を示す断面図である。
【図３】図３は第２の吸引装置の構成を示す断面図である。
【図４】図４は本発明に係る汚染土壌浄化装置を作動させる際のタイムチャートである。
【図５】図５は本発明に係る汚染土壌浄化装置を作動させる際の別のタイムチャートである。
【図６】図６は本発明に係る汚染土壌浄化装置を作動させる際のさらに別のタイムチャートである。
【符号の説明】
【００５５】
１      汚染土壌浄化装置
３ａ    浄化用ガス供給装置
３ｂ    浄化用ガス供給装置
３ｃ    浄化用ガス供給装置
５      水供給装置
７      制御装置
９ａ    アルカリ液供給装置
９ｂ    アルカリ液供給装置
９ｃ    アルカリ液供給装置
１１ａ  触媒液供給装置
１１ｂ  触媒液供給装置
１１ｃ  触媒液供給装置
１３ａ  浄化用管
１３ｂ  浄化用管
１３ｃ  浄化用管
１５ａ  制御弁
１５ｂ  制御弁
１５ｃ  制御弁
１６    浄化用ガス供給管
１７    浄化用ガス供給管
１８    浄化用ガス供給管
２８    水供給管
２９    水供給管
３０    水供給管
３９    アルカリ液供給管
４３    触媒液供給管
Ｅ      地中
Ｆ      地面
【図１】
2008272575.tif 000003
【図２】
2008272575.tif 000004
【図３】
2008272575.tif 000005
【図４】
2008272575.tif 000006
【図５】
2008272575.tif 000007
【図６】
2008272575.tif 000008